(57)【要約】      （修正有）【課題】短冊形の一筆箋をノート型とすることで、書類入れや引き出しなどに保管した場合でも、容易に見つけ出して、取り出すことができる一筆箋を提供する。【解決手段】ノート型一筆箋１は、背表紙部４を介し、表紙部３と裏表紙部５とが接続されて一体化された表紙カバー体２と、複数枚の紙面部が積層されて成る複数の便箋部９ａ、９ｂ、９ｃと、表紙部の裏面に対向して配置された裏表紙部の裏面に固定され、便箋部の下敷きとして機能する台紙部とを備える。便箋部のそれぞれは、紙面部の一端部が剥離可能であり、それぞれ裏表紙部の裏面に固定された台紙部の上に並列して載置されている。【選択図】図３
0003217551.tif 000002
【実用新案登録請求の範囲】
【請求項１】
背表紙部を介し、表紙部と裏表紙部とが接続されて一体化された表紙カバー体と、
複数枚の紙面部が積層されて成る複数の便箋部と、
前記表紙部の裏面に対向して配置された前記裏表紙部の裏面に固定され、前記便箋部の下敷きとして機能する台紙部と、を備え、
前記便箋部のそれぞれは、前記紙面部の一端部が剥離可能であり、
前記便箋部が、それぞれ前記裏表紙部の裏面に固定された前記台紙部の上に並列して載置されているノート型一筆箋。
【請求項２】
前記台紙部は、さらに下敷領域を有し、
当該下敷領域が、前記台紙部の端部から折曲して、前記紙面部の前記一端部近傍まで延伸しており、
前記下敷領域と前記台紙部とが一体に形成され、
前記下敷領域が前記便箋部の前記紙面部間に挿入可能に配置されている請求項1に記載のノート型一筆箋。
【考案の詳細な説明】
【技術分野】
【０００１】
本考案は、短い文章やメッセージを書くのに適するノート型一筆箋に関するものである。
【背景技術】
【０００２】
一筆箋は通常タテ１８ｃｍ、ヨコ８ｃｍほどの短冊形で、２０枚から４０枚の用紙の片側が糊付けされている便箋で、お礼状などの短い文章やメッセージを相手に伝えるために多く利用されている。
【先行技術文献】
【特許文献】
【０００３】
【特許文献１】実用新案登録第３１４５５５６号
【考案の概要】
【考案が解決しようとする課題】
【０００４】
しかし、タテ１８ｃｍ、ヨコ８ｃｍ程度と小さな短冊形を呈しているため、書類入れや引き出しなどに保管しても他の書類に混ざってしまい見つかりにくいという欠点がある。また、サインペンなどで文字を書くと、次のページに裏写りするという難点がある。
【０００５】
本考案はかかる事情に鑑みてなされたものであり、一筆箋の紛失や見落としが防止できると共に、筆記具による裏写りを防ぎ、さらに利便性に優れる一筆箋を提供することを目的とする。
【課題を解決するための手段】
【０００６】
本考案の一形態に係るノート型一筆箋は、背表紙部を介し、表紙部と裏表紙部とが接続されて一体化された表紙カバー体と、複数枚の紙面部が積層されて成る複数の便箋部と、前記表紙部の裏面に対向して配置された前記裏表紙部の裏面に固定され、前記便箋部の下敷きとして機能する台紙部とを備える。前記便箋部のそれぞれは、前記紙面部の一端部が剥離可能であり、前記便箋部が、それぞれ前記裏表紙部の裏面に固定された前記台紙部の上に並列して載置されている。
これにより、書類入れや引き出しなどに保管した場合でも、簡単に見つけ出すことができ、一筆箋の紛失や見落としを防止することができる。
【０００７】
また、ノート型一筆箋において、前記台紙部は、さらに下敷領域を有することができる。当該下敷領域が、前記台紙部の端部から折曲して、前記紙面部の前記一端部近傍まで延伸しており、前記下敷領域と前記台紙部とが一体に形成されていてもよい。また、前記下敷領域が前記便箋部の前記紙面部間に挿入可能に配置されていてもよい。
これにより、サインペンなどで文字を書いた場合に、２枚目の紙面部に裏写りすることを防止することができる。
【考案の効果】
【０００８】
本考案によれば、書類入れや引き出し、本箱などに保管した場合でも、容易に見つけ出して、取り出すことができる。また、サインペンなどで文字を書いた場合に、２枚目の紙面部に裏写りすることを防止できる。
【図面の簡単な説明】
【０００９】
【図１】図１は、本実施形態に係るノート型一筆箋の一例を示す正面図である。
【図２】図２は、本実施形態に係るノート型一筆箋の折畳式台紙部を広げた状態を示す図面である。
【図３】図３は、本実施形態に係るノート型一筆箋の表紙を開いた状態を示す図面である。
【考案を実施するための形態】
【００１０】
以下、本考案の実施形態に係るノート型一筆箋について、図面を参照しながら説明する。図１は、本実施形態に係るノート型一筆箋１の一例を示す正面図である。図２の（ａ）部は、本実施形態に係るノート型一筆箋１の複数の折畳式台紙部６、７、８のそれぞれを広げた状態を示す図である。また、図２の（ｂ）部は、２０枚から４０枚程度の複数枚の紙面部が積層された便箋部９ａ、９ｂ、９ｃを示す図面である。図３は、本実施形態に係るノート型一筆箋１の表紙を開いた状態を示す図面である。
【００１１】
本実施形態に係るノート型一筆箋１では、図１及び図２に示すように、表紙カバー体２が、二つ折り可能に構成されている。表紙カバー体２は、表紙部３、背表紙部４、裏表紙部５からなることができる。背表紙部４は、表紙部３と裏表紙部５とを接続している。表紙部３は、表面３ａ、裏面３ｂを有し、裏表紙部５は、表面５ａ、裏面５ｂを有する。また、背表紙部４は、表面４ａ、裏面４ｂを有する。なお、表紙部３、背表紙部４、及び裏表紙部５の各表面（３ａ、４ａ、５ａ）は、表紙カバー体２を二つ折りした時に、外側に現れる面である。表紙部３、背表紙部４、裏表紙部５の各裏面（３ｂ、４ｂ、５ｂ）は、表紙カバー体２を二つ折りした時に、内側に現れる面である。表紙カバー体２は、例えば、厚さ０．１８〜０．５ｍｍ程度の厚紙などの材料からなることができる。
【００１２】
表紙カバー体２を、二つ折りにした際に、表紙部３の裏面３ｂは、裏表紙部５の裏面５ｂに対向して設けられている。裏表紙部５の裏面５ｂには、補強板の機能を有すると共に下敷きとしての機能も有する折畳式台紙部６、７、８が、隔離して配置され、接着剤等を用いて、それぞれ接着固定されている。折畳式台紙部６、７、８は、表面６ａ、６ｂ、７ａ、７ｂ、８ａ、８ｂと裏面６ｃ、６ｄ、７ｃ、７ｄ、８ｃ、８ｄを有し、それぞれ略矩形の形状を有することができる。また、６ａ、６ｂ、７ａ、７ｂ、８ａ、８ｂの各表面は、折畳式台紙部６、７、８を２つ折りした時に内側に現れる面である。折畳式台紙部６、７、８は、それぞれ、裏表紙部５に接着固定した際に、裏表紙部５の端部近傍に折畳部を有し、当該折畳部で、折り畳み可能なように設けられている。また、折畳式台紙部６、７、８のそれぞれは、裏表紙部５の裏面５ｂに接着固定される接着部６ｃ、７ｃ、８ｃと、下敷きとしての機能する下敷領域６ｄ、７ｄ、８ｄを備える。下敷領域６ｄ、７ｄ、８ｄは、折畳式台紙部の折畳部１１ａ、１１ｂ、１１ｃから折曲して、便箋部９ａ、９ｂ、９ｃの紙面部の端部近傍まで延伸している。便箋部９ａ、９ｂ、９ｃの紙面部は、例えば、略矩形の短冊型の形状を有することができる。しかし、便箋部９ａ、９ｂ、９ｃの紙面部は、円形や台形等の種々の形状を有することもできる。図３に示すように、便箋部９ａ、９ｂ、９ｃのいずれかの紙面部にサインペンなどで文字を書く場合において、この紙面部の下に対応する下敷領域部を挿入することで、２枚目の紙面部に裏写りすることを防止することができる。折畳式台紙部６、７、８は、例えば、厚紙などの材料からなることができる。折畳式台紙部６、７、８は、裏写りすることを防止することができる十分な厚さを有し、例えば、０．１８〜０．５ｍｍ程度の厚さを有することができる。
【００１３】
さらに、図２に示すように、便箋部９ａ、９ｂ、９ｃは、２０枚から４０枚程度の複数枚の紙面部が積層されて、一組の一筆箋部を構成している。この便箋部９ａ、９ｂ、９ｃは、上記の折畳式台紙部の表面６ａ、７ａ、８ａ上に、それぞれ並列に順に戴置されて、接着固定されている。具体的には、便箋部９ａ、９ｂ、９ｃは、その一端部で複数枚の紙面部が、例えば接着剤を用いて接着固定されている。また、便箋部９ａ、９ｂ、９ｃは、当該接着固定された便箋部のそれぞれの側面天のり部１０ａ、１０ｂ、１０ｃが、ノート型一筆箋１の背表紙に近い位置になるように、上記の折畳式台紙部の表面６ａ、７ａ、８ａにそれぞれ戴置されて、接着剤等を用いて接着固定されている。便箋部９ａ、９ｂ、９ｃを構成する複数枚の紙面部を接着する接着剤には、例えば、容易に剥離可能な接着材を用いることができる。又は、この紙面部を接着する接着剤には、貼って剥がせる再剥離用粘着剤を用いることもできる。
【００１４】
便箋部９ａ、９ｂ、９ｃの最終ページの用紙は、その裏面側が、折畳式台紙部の表面６ａ、７ａ、８ａに、例えば接着剤を用いて糊付されて、固定されている。
【００１５】
また、図３を参照すれば、折畳式台紙部の裏面６ｃ、７ｃ、８ｃは、表紙カバー体２の裏表紙部５の裏面５ｂに、例えば接着剤等を用いて、接着固定されている。上記でも説明したように、表紙カバー体２の裏表紙部５の裏面５ｂからはみ出た部分は、折畳部１１ａ、１１ｂ、１１ｃで二つに折れ、下敷領域６ｄ、７ｄ、８ｄを構成し、当該下敷領域が便箋部の紙面部間に挿入されて、下敷きとして機能し、サインペンなどで文字を書いても２枚目の紙面部表面に裏写りすることを防止できる。折畳式台紙部の下敷領域６ｄ、７ｄ、８ｄは、便箋部９ａ、９ｂ、９ｃの紙面部の形状とほぼ同じ形状を有することが好ましい。また、下敷領域６ｄ、７ｄ、８ｄの面積は、便箋部９ａ、９ｂ、９ｃの紙面部の面積とほぼ同じ面積、又は、紙面部の面積よりも大きい面積を有することが好ましい。これにより、下敷領域６ｄ、７ｄ、８ｄが確実に下敷きとして機能する。また、折畳式台紙部は、便箋部の紙面部の最終ページに折り畳んで収納できる。
【符号の説明】
【００１６】
１    ノート型一筆箋
２    表紙カバー体
３    表紙部
３ａ  表紙部表面
３ｂ  表紙部裏面
４    背表紙部
４ａ  背表紙部表面
４ｂ  背表紙部裏面
５    裏表紙部
５ａ  裏表紙部表面
５ｂ  裏表紙部裏面
６、７、８  折畳式台紙部
６ａ、６ｂ、７ａ、７ｂ、８ａ、８ｂ  折畳式台紙部表面
６ｃ、６ｄ、７ｃ、７ｄ、８ｃ、８ｄ  折畳式台紙部裏面
６ｄ、７ｄ、８ｄ 下敷領域
９ａ、９ｂ、９ｃ 便箋部
１０ａ、１０ｂ、１０ｃ  天のり部
１１ａ、１１ｂ、１１ｃ  折畳部
【図１】
0003217551.tif 000003
【図２】
0003217551.tif 000004
【図３】
0003217551.tif 000005